(57)【特許請求の範囲】
【請求項１】
車両側ユニットから送信されるリクエスト信号に応答して、携帯機がＩＤコードを含むレスポンス信号を返送する双方向通信を行なうことにより、前記車両側ユニットは、前記携帯機からＩＤコードを取得し、その取得したＩＤコードを予め登録してある登録コードと照合し、その照合結果に応じて、車両ドアの状態を制御する車両ドア制御システムにおいて、
前記車両側ユニットは、
前記車両ドアのロック・アンロック状態を制御するロック状態制御部と、
前記車両ドアの開扉動作を自動的に実行する自動開扉部と、を有し、
前記携帯機は、
所定の登録処理がなされたときに、前記車両側ユニットに対して前記車両ドアの自動開扉を指示することを登録しておく登録記憶部を有し、当該登録記憶部に前記車両ドアの自動開扉を指示することが登録されているときには、前記双方向通信において、前記車両ドアの自動開扉を指示する指示信号を前記車両側ユニットに送信し、
前記車両ドアがロックされた状態で車両が駐車されているときに、前記ＩＤコードの照合が成立し、かつ前記携帯機から前記指示信号を受信すると、前記車両側ユニットは、前記ロック状態制御部によって前記車両ドアをアンロックさせるとともに、前記自動開扉部によって前記車両ドアを自動的に開扉させるものであり、
前記所定の登録処理は、前記携帯機に設けられたスイッチを操作することによって実施され、
前記携帯機は、前記登録記憶部に前記車両ドアの自動開扉を指示することが登録されてから、前記車両側ユニットとの双方向通信を行なうことなく所定時間が経過したとき、その登録を無効にすることを特徴とする車両ドア制御システム。
【請求項２】
前記車両側ユニットは、車両の複数の車両ドアの開扉動作を自動的に実行できるように、前記自動開扉部を複数有し、さらに、複数の前記自動開扉部により自動的に開扉される複数の車両ドアの内、前記携帯機の保持者が最も接近している車両ドアを特定する特定手段を備え、
前記ＩＤコードの照合が成立し、かつ前記携帯機から前記指示信号を受信したとき、前記車両側ユニットは、前記ロック状態制御部によって、少なくとも前記特定手段により特定された前記車両ドアをアンロックさせるとともに、前記特定手段によって特定された車両ドアを前記自動開扉部によって自動的に開扉させることを特徴とする請求項１に記載の車両ドア制御システム。
【請求項３】
前記車両には、前記携帯機との双方向通信を行なうための複数の送信機が異なる位置に設けられており、前記特定手段は、前記複数の送信機のうち、前記携帯機との双方向通信に用いられた送信機の位置に基づいて、前記携帯機の保持者が最も接近している車両ドアを特定することを特徴とする請求項２に記載の車両ドア制御システム。
【請求項４】
前記自動開扉部は、前記車両ドアの閉扉動作も自動的に実行するものであって、
前記車両側ユニットは、前記携帯機の保持者が車両に乗車したことを検知する検知手段を備え、当該検知手段により前記携帯機の保持者の車両への乗車が検知されると、前記自動開扉部によって自動的に開扉させた前記車両ドアを自動的に閉扉させることを特徴とする請求項１乃至請求項３のいずれかに記載の車両ドア制御システム。
【請求項５】
前記検知手段は、前記自動開扉部により自動的に開扉させた車両ドア以外の、前記車室内に設けられたシートへ着座するための車両ドアが、前記携帯機の保持者によって開閉されたことに基づいて、前記携帯機の保持者が前記車両に乗車したことを検知することを特徴とする請求項４に記載の車両ドア制御システム。
【請求項６】
前記車両側ユニットは、
前記携帯機の保持者が車両に乗車したことを検知する検知手段と、
前記検知手段により、前記携帯機の保持者が、前記自動開扉部により自動的に開扉させた車両ドア以外の、前記車室内に設けられたシートへ着座するための車両ドアから乗車したことを検知した場合、前記自動開扉部により自動的に開扉させた車両ドアを記憶する記憶手段とを備え、
前記携帯機の保持者が降車して、前記携帯機との間で双方向通信が行なわれ、前記ＩＤコードの照合が成立したときに、前記記憶手段に記憶された車両ドアを前記自動開扉部により自動的に開扉させることを特徴とする請求項１乃至請求項３のいずれかに記載の車両ドア制御システム。
【請求項７】
前記自動開扉部は、前記車両ドアの閉扉動作も自動的に実行するものであって、
前記車両側ユニットは、前記携帯機との双方向通信が途絶えたことに基づいて、前記自動開扉部により自動的に開扉させた車両ドアを、当該自動開扉部により自動的に閉扉させるとともに、前記ロック状態制御部により前記車両ドアをロックさせることを特徴とする請求項６に記載の車両ドア制御システム。
【請求項８】
前記車両側ユニットは、前記携帯機との双方向通信が途絶えてから所定時間経過後に、自動的に開扉させた前記車両ドアを自動的に閉扉させることを特徴とする請求項７に記載の車両ドア制御システム。
【発明の詳細な説明】
【技術分野】
【０００１】
本発明は、携帯機と車両側ユニットとが相互通信を行うことにより、車両ドアの状態を制御する車両ドア制御システムに関する。
【背景技術】
【０００２】
従来、車両ドア制御システムとして、携帯型電子キー（携帯機）と車両側ユニットとの双方向通信によるＩＤコードの照合結果をもとに、各ドアのロック・アンロック状態を制御するシステムが知られている。このシステムにおいては、車両の周囲に所定の通信エリアを設定し、この通信エリアにおいて、車両側ユニットにおける送信機から例えば所定間隔毎に、リクエスト信号を発信する。このようにして、携帯機の保持者の車両への接近、車両への乗車や車両からの降車を監視している。
【０００３】
例えば、携帯機の保持者が車両への乗車のために車両に接近し、通信エリアに進入すると、リクエスト信号に応答して携帯機がＩＤコードを含むレスポンス信号を車両側ユニットに返送する。車両側ユニットは、携帯機から取得したＩＤコードが登録ＩＤコードに一致する等、所定の関係を満足すると判定される場合に、車両側ユニットのドアロック制御装置に対して、各ドアをアンロックスタンバイ状態にするように制御信号を与える。この状態となった時に、携帯機の保持者がドアハンドルに触れると、ドアロック制御装置は、それをタッチセンサ等で検出し、ドアをアンロックする。
【０００４】
また、本出願人が出願した特許文献１に記載された装置では、さらに、ドアのアンロックと同期して、自動開閉機能を有するドアを自動的に開扉させるようにしている。このようにして、携帯機の保持者の車両への乗車時の利便性の一層の向上を図っている。
【特許文献１】特開２００６−２６６０２３号公報
【発明の開示】
【発明が解決しようとする課題】
【０００５】
しかしながら、上述した特許文献１に記載の装置でも、携帯機の保持者が、ドアハンドルに触れたり、ドアハンドルに設けられたスイッチを操作するなど、ドアハンドルに対して何らかの操作（以下、アンロック操作）を行なわない限り、ドアのアンロック及びドアの自動開扉動作は実行されない。なお、ドアハンドルに対するアンロック操作が行なわれたときにドアのアンロック等を行なうようにしている理由は、例えば、携帯機の保持者が車両に接近しただけでドアがアンロックされてしまうと、乗車する意思がない場合でも誤ってドアのアンロック等が行なわれてしまう可能性が生じるためである。
【０００６】
その一方で、例えば、携帯機の保持者が両手で荷物を運んでいる場合などは、ドアハンドルに対してアンロック操作を行なうことが困難になる。このため、携帯機の保持者は、例えば一旦荷物を地面に置いて、ドアハンドルに対してアンロック操作を実行し、その後、荷物を持ち上げて車両に積み込まねばならないなどの面倒な作業を行なう必要が生じる。
【０００７】
本発明は、上述した点に鑑みてなされたもので、運転者が両手で荷物を運んでいるときでも、面倒な作業を行なうことなく、荷物の車両への積み込みを行なうことが可能な車両ドア制御システムを提供することを目的とする。
【課題を解決するための手段】
【０００８】
上記目的を達成するために、請求項１に記載の車両ドア制御システムは、
車両側ユニットから送信されるリクエスト信号に応答して、携帯機がＩＤコードを含むレスポンス信号を返送する双方向通信を行なうことにより、車両側ユニットは、携帯機からＩＤコードを取得し、その取得したＩＤコードを予め登録してある登録コードと照合し、その照合結果に応じて、車両ドアの状態を制御する車両ドア制御システムにおいて、
車両側ユニットは、
車両ドアのロック・アンロック状態を制御するロック状態制御部と、
車両ドアの開扉動作を自動的に実行する自動開扉部と、を有し、
携帯機は、
所定の登録処理がなされたときに、車両側ユニットに対して車両ドアの自動開扉を指示することを登録しておく登録記憶部を有し、当該登録記憶部に車両ドアの自動開扉を指示することが登録されているときには、双方向通信において、車両ドアの自動開扉を指示する指示信号を車両側ユニットに送信し、
車両ドアがロックされた状態で車両が駐車されているときに、ＩＤコードの照合が成立し、かつ携帯機から指示信号を受信すると、車両側ユニットは、ロック状態制御部によって車両ドアをアンロックさせるとともに、自動開扉部によって車両ドアを自動的に開扉させるものであり、
所定の登録処理は、携帯機に設けられたスイッチを操作することによって実施され、
携帯機は、登録記憶部に車両ドアの自動開扉を指示することが登録されてから、車両側ユニットとの双方向通信を行なうことなく所定時間が経過したとき、その登録を無効にすることを特徴とする。
【０００９】
上述したように、請求項１に記載の車両ドア制御システムにおいては、携帯機が登録記憶部を有し、所定の登録処理がなされたとき、車両側ユニットに対して車両ドアの自動開扉を指示することが登録記憶部に登録される。そして、登録記憶部に車両ドアの自動開扉指示が登録されているときには、携帯機が、車両ドアの自動開扉を指示する指示信号を車両側ユニットに送信する。車両側ユニットは、ＩＤコードの照合が成立し、かつ携帯機から指示信号を受信すると、車両ドアをアンロックさせるとともに、車両ドアを自動的に開扉させる。従って、車両へ積み込むべき荷物が多く、車両に近づくときには両手が荷物で塞がることが予想されるときなどに、事前に携帯機に登録処理を施しておくことで、携帯機の保持者が車両に接近するだけで、車両ドアのアンロック後に、車両ドアを自動的に開扉させることができる。このため、運転者が両手で荷物を運んでいるときでも、面倒な作業を行なうことなく、荷物の車両への積み込みを容易に行なうことが可能になる。
【００１０】
なお、上述したように、携帯機の保持者が車両に接近しただけで、車両ドアのアンロック及び自動開扉が行なわれるのは、携帯機に対して所定の登録処理を実施した場合のみである。このため、携帯機の保持者が意図しないにも係らず、車両ドアがアンロックされ、かつ自動開扉される事態の発生は、ほぼ防止可能である。また、自動開扉される車両ドアには、車両の室内に乗車するための車両ドアの他、車室内後部に設けられた荷室を開閉するための後部ドアやトランクを開閉するためのトランクドアが含まれる。
【００１１】
また、所定の登録処理は、携帯機に設けられたスイッチを操作することによって実施される。携帯機に設けられたスイッチの操作によって登録処理が行なわれる場合、その登録処理は携帯機の保持者本人によって行なわれる。このため、携帯機の保持者が意図したときに限定して、車両ドアのアンロック及び自動開扉を行なわせることが可能になる。
【００１３】
さらに、携帯機は、登録記憶部に車両ドアの自動開扉を指示することが登録されてから、車両側ユニットとの双方向通信を行なうことなく所定時間が経過したとき、その登録を無効にする。登録処理が行なわれた時点と、その登録処理に基づいて車両ドアのアンロック及び自動開扉が行なわれる時点との間には時間差があることが通常であるが、その時間差が過度に長くなった場合、携帯機の保持者は登録処理が行なわれたことを失念している可能性も生じるためである。
【００１４】
請求項２に記載したように、車両側ユニットは、車両の複数の車両ドアの開扉動作を自動的に実行できるように、自動開扉部を複数有し、さらに、複数の自動開扉部により自動的に開扉される複数の車両ドアの内、携帯機の保持者が最も接近している車両ドアを特定する特定手段を備え、
ＩＤコードの照合が成立し、かつ携帯機から指示信号を受信したとき、車両側ユニットは、ロック状態制御部によって、少なくとも特定手段により特定された車両ドアをアンロックさせるとともに、特定手段によって特定された車両ドアを自動開扉部によって自動的に開扉させることが好ましい。携帯機の保持者が両手で荷物を持っている場合、まず、その荷物を車両に（車両の後部座席付近、荷室などに）積み込こもうとする。そのため、携帯機の保持者が最も接近している自動開扉可能な車両ドアを対象として、車両ドアのアンロック及び自動開扉を実行することが好ましい。
【００１５】
携帯機の保持者が最も接近している車両ドアを特定するために、請求項３の構成を採用することができる。すなわち、車両には、携帯機との双方向通信を行なうための複数の送信機が異なる位置に設けられており、特定手段は、複数の送信機のうち、携帯機との双方向通信に用いられた送信機の位置に基づいて、携帯機の保持者が最も接近している車両ドアを特定する。このような複数の送信機は、従来の車両ドア制御システムに含まれているので、何ら構成を追加することなく、携帯機の保持者が最も接近している車両ドアを特定することができる。
【００１６】
請求項４に記載したように、自動開扉部は、車両ドアの閉扉動作も自動的に実行するものであって、車両側ユニットは、携帯機の保持者が車両に乗車したことを検知する検知手段を備え、当該検知手段により携帯機の保持者の車両への乗車が検知されると、自動開扉部によって自動的に開扉させた車両ドアを自動的に閉扉させても良い。これにより、さらに携帯機の保持者の利便性を向上することができる。
【００１７】
携帯機の保持者が車両へ乗車したことを検知するには、例えば、車両ドア制御システムにおいて、通常、車両側ユニットの一部として設けられる車室内送信機との双方向通信が行なわれ、かつ車室外送信機との双方向通信が途絶えたことや、車室内のシートへ着座したことなどを検出すれば良い。さらに、請求項５に記載したように、検知手段は、自動開扉部により自動的に開扉させた車両ドア以外の、車室内に設けられたシートへ着座するための車両ドアが、携帯機の保持者によって開閉されたことに基づいて、携帯機の保持者が車両に乗車したことを検知するようにしても良い。携帯機の保持者が多くの荷物を持っている場合、まず、その荷物を自動的に開扉された車両ドアの開口部から車両に積み込み、その後、自身は、他の車両ドアから車室内のシートに座ることが多いためである。
【００１８】
また、請求項６に記載したように、車両側ユニットは、
携帯機の保持者が車両に乗車したことを検知する検知手段と、
検知手段により、携帯機の保持者が、自動開扉部により自動的に開扉させた車両ドア以外の、車室内に設けられたシートへ着座するための車両ドアから乗車したことを検知した場合、自動開扉部により自動的に開扉させた車両ドアを記憶する記憶手段とを備え、
携帯機の保持者が降車して、携帯機との間で双方向通信が行なわれ、ＩＤコードの照合が成立したときに、記憶手段に記憶された車両ドアを自動開扉部により自動的に開扉させることが好ましい。
【００１９】
携帯機の保持者が、自動開扉された車両ドア以外の車両ドアから乗車した場合、自動開扉された車両ドアは、荷物の積み込みのために開扉されたものと推測できる。このような場合、携帯機の保持者は、車両から降車したとき、再びその車両ドアを開いて荷物の取出しを行なう可能性が高い。そのため、携帯機の保持者が降車して、車室外にある携帯機と車両側ユニットとの間で双方向通信が行なわれ、ＩＤコードの照合が成立したとき、記憶手段に記憶された車両ドアを自動的に開扉させる。これにより、携帯機の保持者は荷物の取出しを容易に行うことが可能になる。なお、記憶された車両ドアに対応する送信機を用いた双方向通信によりＩＤコードの照合が行なわれたことを条件として、記憶された車両ドアを自動的に開扉させるようにしても良い。この場合、携帯機の保持者が記憶された車両ドアに接近していることが確認された時点で車両ドアが自動開扉されるので、携帯機の保持者が荷物の取出しを行なう可能性が高いと判断される時点で、車両ドアを自動開扉させることができる。
【００２０】
請求項７に記載したように、自動開扉部は、車両ドアの閉扉動作も自動的に実行するものであって、車両側ユニットは、携帯機との双方向通信が途絶えたことに基づいて、自動開扉部により自動的に開扉させた車両ドアを、当該自動開扉部により自動的に閉扉させるとともに、ロック状態制御部により車両ドアをロックさせることが好ましい。これにより、荷物を取出した携帯機の保持者は、自ら車両ドアを閉扉させなくとも、携帯機と車両側ユニットとの双方向通信エリアを越えて車両から遠ざかるだけで、車両ドアの閉扉動作及びロックが行われるようになる。従って、携帯機の保持者は、車両からの荷物の取出し後に、何ら操作を行なわなくても良いので、車両からの荷物の搬送も容易に行うことができるようになる。
【００２１】
請求項８に記載したように、車両側ユニットは、携帯機との双方向通信が途絶えてから所定時間経過後に、自動的に開扉させた車両ドアを自動的に閉扉させることが好ましい。例えば、一度では全ての荷物を取出すことができない場合など、双方向通信が途絶えても所定時間は車両ドアが開扉していると、残りの荷物の取出しもスムーズに行なうことができる場合があるためである。なお、所定時間は、携帯機の保持者が設定可能であっても良い。
【発明を実施するための最良の形態】
【００２２】
以下、本発明の実施形態に係る車両ドア制御システムを、図に基づいて説明する。図１は、本実施形態による車両ドア制御システムの全体の構成を示す構成図である。
【００２３】
本実施形態における車両ドア制御システムは、携帯機（電子キー）１と車両側ユニットとの双方向通信によるＩＤコードの照合結果を基に、電子キーＥＣＵ４が各ドアのロック・アンロック状態を制御する。
【００２４】
図１に示すように、携帯機１は、車室外送信機２ａ〜２ｅあるいは車室内送信機２ｆからのリクエスト信号を受信する受信機１ａ、このリクエスト信号の受信に応答して、ＩＤコード等を含むレスポンス信号を送信する送信機１ｂを備えている。携帯機ＥＣＵ１ｃは、上述した受信機１ａ及び送信機１ｂと接続され、各種の制御処理を実行する。具体的には、携帯機ＥＣＵ１ｃは、受信機１ａの受信信号に基づいてリクエスト信号の受信の有無を判定したり、そのリクエスト信号に応答して、ＩＤコード等を含むレスポンス信号を生成して、送信機１ｂから送信させたりする。さらに、携帯機ＥＣＵ１ｃは、携帯機１に設けられたスイッチの操作に基づいて、登録処理操作が行なわれたと判定した場合、車両ドアの自動開扉を指示する指示信号を含むレスポンス信号を生成する。なお、登録処理操作を行なうためのスイッチは、専用のスイッチであっても良いし、例えば携帯機１の既存のスイッチを長押ししたときや複数のスイッチを組み合わせて操作したときに登録処理操作が行なわれたとみなすなど、既存のスイッチと兼用しても良い。
【００２５】
車両側ユニットは、車両１０の各ドア１１〜１５に設けられた車室外送信機２ａ〜２ｅ、及び車室内に設けられた車室内送信機２ｆを有する。これらの車室外送信機２ａ〜２ｅ及び車室内送信機２ｆは、車両側ユニットの主要部をなす電子キーＥＣＵ４からの送信指示信号に基づいてリクエスト信号を発信する。
【００２６】
なお、車両１０には、前席に対応して、ヒンジ式の車両ドア１１，１２が設けられており、後席に対応して、スライド式の車両ドア１３，１４が設けられている。これらのスライド式の車両ドア１３，１４には、モータを駆動源とするスライドドア駆動部７ｃ、７ｄが設けられており、電子キーＥＣＵ４からの開閉信号に従って、自動的にスライド式の車両ドア１３，１４を開閉することが可能である。また、車両１０は、跳ね上げ式の後部ドア１５を備えている。この後部ドア１５にも、スライドドア駆動部７ｃ、７ｄと同様に、モータを駆動源とする後部ドア駆動部８が設けられており、後部ドア１５も電子キーＥＣＵ４からの開閉信号に従って、自動的に開閉することができる。スライド式の車両ドア１３，１４や、後部ドア１５は、ドアが比較的重い場合が多いので、自動開閉機能を付与することにより、車両乗員の乗降時の負担を軽減できる。なお、車両１０が後部に独立した荷室であるトランクを備える場合、後部ドア１５は、トランクを開閉するトランクドアに置き換えられる。
【００２７】
車室外送信機２ａ〜２ｅのリクエスト信号の到達距離は、例えば０．７〜１．０ｍ程度に設定されている。車両１０の駐車時には、そのリクエスト信号の到達距離に応じた検知エリアが車両１０の各ドア１１〜１５の周囲に形成され、携帯機１の保持者が車両１０の各ドア１１〜１５に接近したことを検知できるようにしている。また、車室内送信機２ｆによる検知エリアは、車室内をカバーするように設定され、携帯機１が車室内にあるか否かを検知する。
【００２８】
車両側ユニットは、車両１０の車室内に設けられ、送信機２ａ〜２ｆに対する送信指示信号の出力と同期してレスポンス信号受信可能状態にされて、携帯機１から送信されるレスポンス信号を受信する受信機３を有する。受信機３が受信したレスポンス信号は、電子キーＥＣＵ４に出力される。電子キーＥＣＵ４は、この受信したレスポンス信号に含まれるＩＤコードに基づいて、ドアのロック・アンロック状態の制御等を実行すべきか否かの判定を行う。さらに、自動開扉指示信号がレスポンス信号に含まれているか否かに応じて、スライド式の車両ドア１３，１４や後部ドア１５を自動開扉制御の実行の要否を判別する。
【００２９】
車両側ユニットは、さらに、車両１０の各ドア１１〜１５に設けられ、その各ドア１１〜１５をロック、アンロックしたり、ロックされているが、携帯機１の保持者がドアアウトサイドハンドル（以下、ドアハンドル）に触れることによってアンロック可能なアンロックスタンバイ状態に設定したりするドアロック制御部５ａ〜５ｅを有する。このドアロック制御部５ａ〜５ｅは、電子キーＥＣＵ４からの指示信号に応じて動作する。
【００３０】
車両１０の各ドア１１〜１５のドアハンドル６ａ〜６ｅには、タッチセンサ６ａ１〜６ｅ１が設けられており、携帯機１の保持者が、ドアハンドル６ａ〜６ｅに触れて、ドアハンドル６ａ〜６ｅに対して操作を行ったことを検出することが可能である。また、ドアハンドル６ａ〜６ｅには、プッシュスイッチとして構成されたドアロックスイッチ６ａ２〜６ｅ２も設けられている。このドアロックスイッチ６ａ２〜６ｅ２を操作すると、各ドア１１〜１５をロックすることができる。また、ドアハンドル６ａ〜６ｅは、上述した車室外送信機２ａ〜２ｅのアンテナとしての役割も果たしている。
【００３１】
次に、上述した車両側ユニットと携帯機１との双方向通信によるＩＤコードの照合結果を基に、電子キーＥＣＵ４が各ドア１１〜１５をアンロックしたりロックしたりするドアロック制御及び自動開扉指示信号に応じて、スライド式の車両ドア１３，１４あるいは後部ドア１５を自動開閉する自動開閉制御等を実行するための処理に関して、図２〜図４のフローチャートに基づいて詳細に説明する。なお、図２は、携帯機１において実行される処理を示すフローチャートであり、図３及び図４は、車両側ユニットにおいて、主に電気キーＥＣＵ４によって実行される処理を示すフローチャートである。
【００３２】
まず、図２のフローチャートに示す処理について説明する。図２において、ステップＳ１０の処理では、携帯機１に設けられたスイッチにより、登録処理操作が行なわれたか否かを判定する。このとき、登録処理のためのスイッチ操作が行なわれたと判定されると、ステップＳ２０に進んで、登録処理を実行する。ここで、登録処理とは、車両側ユニットに対して車両ドアの自動開扉を指示することを、携帯機ＥＣＵ１ｃ内のメモリに登録することを言う。例えば、車両へ積み込むべき荷物が多く、車両に近づくときには両手が荷物で塞がることが予想されるときなどに、事前に携帯機１に登録処理を施しておく。これにより、詳しくは後述するが、携帯機１の保持者が車両に接近するだけで、車両ドア１１〜１５のアンロック後に、スライド式の車両ドア１３，１４や後部ドア１５を自動的に開扉させることができるようになる。
【００３３】
次にステップＳ３０では、登録処理が実施されてから所定時間が経過したか否かを判定する。このステップＳ３０において、所定時間が経過したと判定されると、ステップＳ４０に進み、携帯機ＥＣＵ１ｃのメモリに登録された自動開扉指示をキャンセル（無効に）する。登録処理操作が行なわれた時点と、その登録処理に基づいて車両ドアのアンロック及び自動開扉が行なわれる時点との間には時間差があることが通常である。その時間差が過度に長くなった場合、携帯機１の保持者は登録処理を実施したことを失念している可能性もある。このような場合、携帯機１の保持者の意図に反して、車両ドアのアンロック及び自動開扉が実施されてしまう虞が生じる。このため、登録処理が実施されたにも係らず、車両側ユニットとの双方向通信が行なわれることなく、所定時間が経過した場合、登録処理をキャンセルする。
【００３４】
ステップＳ５０では、車両側ユニットの送信機２ａ〜２ｅからのリクエスト信号を受信したか否かを判定する。リクエスト信号が未受信の場合、ステップＳ１０の処理に戻り、リクエスト信号を受信した場合には、ステップＳ６０の処理に進む。なお、携帯機１内の受信機１ａ，送信機１ｂ、及び携帯機ＥＣＵ１ｃは電池を電源として動作することが多い。このため、通常は、登録処理操作の入力の受付、及びリクエスト信号の受信のみを定期的に行い、他の機能を休止しているスリープモードにて動作させ、登録処理操作が合った場合、あるいはリクエスト信号を受信した場合に、それらをトリガとして、ノーマルモードにて動作するようにしても良い。
【００３５】
リクエスト信号を受信した場合に実行されるステップＳ６０では、登録処理が実施され、自動開扉指示すべきことが登録されているか否かを判定する。登録処理が実施されていると判定した場合には、ステップＳ７０において、ＩＤコード及び自動開扉指示信号を含むレスポンス信号を返送する。一方、登録処理が実施されていないと判定した場合には、ステップＳ８０において、ＩＤコードを含み、自動開扉指示信号は含まないレスポンス信号を返送する。
【００３６】
次に、図３のフローチャートに基づいて、携帯機１の保持者が車両に乗車する際に、車両側ユニットにおいて実行される制御処理について説明する。なお、図３のフローチャートに示す処理は、車両が駐車しているとき、所定時間（例えば数秒）ごとに起動されて実施されるものである。すなわち、車両１０のエンジンが停止され、かつ各ドア１１〜１５がロックされた状態で駐車されている場合、所定時間経過毎に車室外送信機２ａ〜２ｅに対してリクエスト信号の送信を指示して、携帯機１の保持者が車両１０に接近したか否か確認する。
【００３７】
まず、ステップＳ１１０では、車室外送信機２ａ〜２ｅに対して送信指示信号を出力して、車室外送信機２ａ〜２ｅからリクエスト信号を送信させる。そして、ステップＳ１２０では、このリクエスト信号に応答する、携帯機１からのレスポンス信号を受信したか否かを判定する。レスポンス信号が受信されていない場合には、携帯機１が検知エリア内に存在しないとみなして、図３に示す処理を終了する。一方、携帯機１からレスポンス信号を受信した場合には、ステップＳ１３０の処理に進む。
【００３８】
なお、車室外送信機２ａ〜２ｅから、車室外送信機２ａ〜２ｅごとに固有の識別コードを含むリクエスト信号が送信され、携帯機１は、その識別コードを含むレスポンス信号を返送するように構成される。あるいは、電子キーＥＣＵ４は、各送信機２ａ〜２ｅに、順番にリクエスト信号を送信するように指示する。このようにすれば、電子キーＥＣＵ４は、携帯機１がいずれの送信機２ａ〜２ｅからのリクエスト信号に応答してレスポンス信号を返送したかを識別できる。すなわち、携帯機１の保持者が、いずれの車両ドア１１〜１５に対して接近しているのかを識別できるのである。
【００３９】
ステップＳ１３０では、レスポンス信号に含まれるＩＤコードが、予め登録されているＩＤコードと一致する等、所定の関係を満足するか否かが判定される（ＩＤコードの照合成立・不成立判定）。この判定処理において、ＩＤコードの照合が成立したと判定すると、ステップＳ１４０に進み、ＩＤコードの照合不成立と判定すると、処理を終了する。
【００４０】
ステップＳ１４０では、受信したレスポンス信号に自動開扉指示信号が含まれているか否かを判定する。自動開扉信号が含まれていると判定した場合には、ステップＳ１５０に進み、自動開扉信号が含まれていないと判定した場合には、ステップＳ１８０の処理に進む。
【００４１】
ステップＳ１８０では、従来の車両ドア制御システムと同様に、携帯機１の保持者がドアハンドル６ａ〜６ｅに触れるなどのアンロック操作を行なったか否かが判断される。ここで、ＩＤコードの照合が成立した場合には、電子キーＥＣＵ４は、レスポンス信号に含まれる識別コードあるいはレスポンス信号の受信タイミングから、携帯機１が反応した送信機２ａ〜２ｅの位置を把握する。そして、その位置に該当するドアのロックをアンロックスタンバイ状態にするように、対応するドアロック制御部５ａ〜５ｅに指示信号を与える。この指示信号に基づいて、指示信号を受けた何れか１つのドアロック制御部５ａ〜５ｅは、対応するドア１１〜１５をアンロックスタンバイ状態に設定する。具体的には、タッチセンサをアクティブにして、携帯機１の保持者がドアハンドル６ａ〜６ｅに触れたことを検知可能にする。
【００４２】
電子キーＥＣＵ４からの指示信号に基づいて、ドアロック制御部５ａ〜５ｅの何れか１つが、対応するドア１１〜１５をアンロックスタンバイ状態に設定した時、タッチセンサ６ａ１〜６ｅ１によって携帯機１の保持者がドアハンドル６ａ〜６ｅに触れたことを検知すると、その検知情報を電子キーＥＣＵ４に送信する。すると、電子キーＥＣＵ４は、ステップＳ１８０にて、携帯機１の保持者によるアンロック操作を検知したと判定し、ステップＳ１９０に処理を進める。一方、携帯機１の保持者によるアンロック操作が検知されない場合、図３に示す処理を一旦終了する。
【００４３】
ステップＳ１９０では、全てのドア１１〜１５をアンロックするように各ドアロック制御部５ａ〜５ｅに指示する。従って、携帯機１の保持者が、単にドアハンドル６ａ〜６ｅに触れるアンロック操作を行なうだけで、全ての車両ドア１１〜１５がアンロックされる。
【００４４】
なお、携帯機１の保持者による車両ドア１１〜１５に対する操作の検出は、タッチセンサ６ａ１〜６ｅ１によらず、例えば、ドアハンドル６ａ〜６ｅが手前に引かれたことを機械的に検出する検出機構等を用いても良い。また、ドアハンドル６ａ〜６ｅに、アンロックボタンを設置し、このアンロックボタンの操作により、車両ドア１１〜１５に対するアンロック操作を検出しても良い。また、タッチセンサ６ａ１〜６ｅ１とドアロックスイッチ６ａ２〜６ｅ２の一方のみを車両ドア１１〜１５に設けて、アンロックのための操作部、及びロックのための操作部として兼用しても良い。さらに、ＩＤコードの照合が成立したとき、すべての車両ドア１１〜１５において、アンロックスタンバイ状態に設定しても良い。
【００４５】
一方、レスポンス信号に自動開扉指示信号が含まれている場合に実行されるステップＳ１５０では、上述した携帯機１の保持者によるアンロック操作によらず、車両ドア１１〜１５をアンロックする。さらに、続くステップＳ１６０において、自動開閉機能を備えた車両ドア１３〜１５のうち、運転者が最も接近している車両ドアを、スライドドア駆動部７ｃ、７ｄ又は後部ドア駆動部８により自動開扉させる。そして、ステップＳ１７０では、自動開扉指示があったこと、及び自動開扉指示に基づいて自動開扉した車両ドアを記憶しておく。
【００４６】
上述したように、本実施形態では、携帯機１は、登録処理操作が行なわれたとき、車両側ユニットに対して車両ドアの自動開扉を指示することを登録する。そして、車両ドアの自動開扉指示が登録されているとき、携帯機１は、車両側ユニットからのリクエスト信号に応答して、車両ドアの自動開扉を指示する指示信号を含むレスポンス信号を返送する。車両側ユニットは、ＩＤコードの照合が成立し、かつ携帯機１からのレスポンス信号に自動開扉指示信号が含まれている場合、車両ドアをアンロックさせるとともに、車両ドアを自動的に開扉させる。従って、車両へ積み込むべき荷物が多く、車両に近づくときには両手が荷物で塞がることが予想されるときなどに、事前に携帯機１に登録処理を施しておくことで、携帯機１の保持者が車両に接近するだけで、車両ドアをアンロックさせるとともに、車両ドアを自動的に開扉させることができる。このため、携帯機１の保持者が両手で荷物を運んでいるときでも、面倒な作業を行なうことなく、荷物の車両への積み込みを容易に行なうことが可能になる。
【００４７】
ただし、このように、携帯機１の保持者が車両に接近しただけで、車両ドアのアンロック及び自動開扉が行なわれるのは、携帯機１に対して所定の登録処理を実施した場合のみである。このため、携帯機１の保持者が意図しないにも係らず、車両ドアがアンロックされ、かつ自動開扉される事態の発生は、ほぼ防止可能である。
【００４８】
特に、本実施形態では、所定の登録処理が、携帯機１に設けられたスイッチを操作することによって実施されるように構成されている。従って、登録処理は、携帯機１の保持者本人によって行なわれるので、携帯機１の保持者が意図したときに限定して、車両ドアのアンロック及び自動開扉を行なわせることが可能になる。ただし、所定の登録処理は、外部のデータ送信機から送信されるデータの携帯機１による受信によって実施されても良い。例えば、携帯機１の保持者が店舗で買い物をした場合、その支払処理時に店舗に設置された送信機を用いて登録処理を行なえば、携帯機１の保持者が荷物を持って車両に接近する場合に、予め自動的に登録処理を行なうことができる。なお、このように外部のデータ送信機を用いて登録処理を行なう場合には、音声や表示などで登録処理を行なった旨を報知することにより、携帯機の保持者は登録処理が行なわれたことを認識することができる。
【００４９】
上述した実施形態では、ＩＤコードの照合が成立し、かつ自動開扉信号を受信した場合、車両側ユニットは、全ての車両ドア１１〜１５をアンロックするとともに、携帯機１の保持者が最も接近している自動開扉機能を備えた車両ドアを自動開扉させる。携帯機１の保持者が両手で荷物を持っている場合、まず、その荷物を車両に（車両の後部座席付近、荷室などに）積み込こもうとするためである。ただし、この例に限らず、アンロックに関しても、携帯機１の保持者が最も接近している車両ドアのみに限定して行なうようにしても良いし、自動開扉の対象となる車両ドアを、携帯機１の保持者が最も接近している車両ドア以外に拡大しても良い。
【００５０】
また、上述した実施形態において、スライド式ドア１３，１４、及び後部ドア１５は、自動開閉機能を備えているので、自動開扉のみでなく、携帯機１の保持者が車両に乗車したことを検知した後に、自動閉扉させても良い。これにより、さらに携帯機１の保持者の乗車時の利便性を向上することができる。
【００５１】
携帯機１の保持者が車両へ乗車したことを検知するには、例えば、車両側ユニットの一部として設けられた車室内送信機２ｆとの双方向通信が行なわれ、かつ車室外送信機２ａ〜２ｅとの双方向通信が途絶えたことをもって、携帯機１の保持者は、車両に乗車したと判断することができる。また、着座センサを設け、着座センサによって携帯機１の保持者が車室内のシートへ着座したことを検知しても良い。さらには、自動開扉された車両ドア以外の、車室内に設けられたシートへ着座するための車両ドアが、携帯機１の保持者によって開閉されたことに基づいて、携帯機１の保持者が車両に乗車したことを検知するようにしても良い。自動開扉された車両ドア以外の車両ドアが、携帯機１の保持者によって開閉されたことは、携帯機１との双方向通信に用いられる車室外送信機２ａ〜２ｅの位置と、車両ドアの開閉スイッチからの信号によって検知できる。また、これらの条件のうち、複数の条件を組み合わせて、携帯機１の保持者が車両へ乗車したことを検知しても良い。
【００５２】
次に、図４のフローチャートに基づいて、携帯機１の保持者が車両から降車する際に、車両側ユニットにおいて実行される制御処理について説明する。
【００５３】
まず、ステップＳ２１０では、車両１０のエンジンスイッチがオフされたことや、車両ドア１１〜１４が開閉されたことなどに基づいて、携帯機１の保持者が車両１０から降車したか否かを判定する。携帯機１の保持者が車両１０から降車したと判定されると、ステップＳ２２０において、乗車時に自動開扉指示があったか否かを判定する。自動開扉指示があった場合、上述した図３のフローチャートのステップＳ１７０にて、自動開扉指示があった旨が記憶されるので、ステップＳ２２０では、その記憶の有無に基づいて自動開扉指示があったか否か判定できる。
【００５４】
自動開扉指示が無かった場合には、ステップＳ３４０に進む。この場合、従来の車両ドア制御システムと同様に、携帯機１の保持者によるロック操作に基づいて、すべての車両ドア１１〜１５のロックを行なう。すなわち、まず、ステップＳ３４０において、携帯機１の保持者による、ドアハンドル６ａ〜６ｅに設けられたロックスイッチ６ａ２〜６ｅ２が操作されたか否かを判定する。ロックスイッチ６ａ２〜６ｅ２が操作されたと判定された場合、それが携帯機１の保持者による操作であるかを確認すべく、ステップＳ３５０にて車室外送信機２ａ〜２ｅからリクエスト信号を送信させ、ステップＳ３６０にて、そのリクエスト信号に応答するレスポンス信号を受信したか否かを判定する。さらにステップＳ３７０にて、レスポンス信号に含まれるＩＤコードの照合が成立するか否かを判定する。これらの判定がすべて“Ｙｅｓ”である場合、携帯機１の保持者によるロック操作であるとみなすことができるので、ステップＳ３８０において、全車両ドア１１〜１５をロックする。
【００５５】
なお、この場合、車室内送信機２ｆからもリクエスト信号を送信させ、そのリクエスト信号に対してはレスポンス信号が受信されないことを確認しても良い。これにより、携帯機１を車室内へ置き忘れたまま、車両ドア１１〜１５をロックしてしまうことを確実に防止できる。
【００５６】
一方、乗車時に自動開扉指示があった場合には、ステップＳ２３０に進み、携帯機１の保持者によるロック操作によらず、車室外送信機２ａ〜２ｅからのリクエスト信号の送信を開始させる。そして、ステップＳ２４０において、レスポンス信号が受信されたと判定され、かつステップＳ２５０において、ＩＤコードの照合が成立したと判定されると、ステップＳ２６０において、乗車時に自動開扉した車両ドアを、再び自動開扉させる。
【００５７】
携帯機１の保持者が、まず荷物を車両に積み込むため、後部ドア１５を自動開扉させた場合、又はスライド式車両ドア１３，１４を自動開扉させて荷物を積み込んだ後に、車両１０の運転席もしくは助手席に乗車した場合、携帯機１の保持者が車両１０から降車したとき、荷物の取出しを行なうため、乗車時に自動開扉させた車両ドアを開くことが予想される。そのため、携帯機１の保持者が降車して、車室外送信機２ａ〜２ｅを用いて携帯機１との間で双方向通信が行なわれ、ＩＤコードの照合が成立したとき、乗車時に自動開扉した車両ドアとして記憶されている車両ドアを自動的に開扉させるのである。これにより、携帯機１の保持者は荷物の取出しを容易に行うことが可能になる。
【００５８】
なお、記憶されている車両ドアに対応する送信機を用いた双方向通信によりＩＤコードの照合が行なわれたことを条件として、記憶された車両ドアを自動的に開扉させるようにしても良い。この場合、携帯機１の保持者が記憶された車両ドアに接近していることが確認された時点で車両ドアが自動開扉されるので、携帯機１の保持者が荷物の取出しを行なう可能性がより高いと判断される時点で、車両ドアを自動開扉させることができる。
【００５９】
また、乗車時に後部ドア１５を自動開扉させた場合には、携帯機１の保持者は、必ず、後部ドア１５以外の車両ドアから車両に乗車するが、スライド式ドア１３，１４を自動開扉させた場合、荷物の積み込み後に、そのドア１３，１４から車両に乗車することも考えられる。このため、例えば、図３のフローチャートのステップＳ１７０において、自動開扉したドアと携帯機１の保持者が乗車のために利用した車両ドアとの両方を記憶し、ステップＳ２２０において、乗車時に自動開扉指示があったことに加え、自動開扉した車両ドアと乗車時に乗車した車両ドアとが異なることを判定しても良い。あるいは、図３のフローチャートのステップＳ１７０において、自動開扉した車両ドアと乗車のために利用した車両ドアとが異なる場合のみ、自動開扉指示及び自動開扉した車両ドアを記憶するようにしても良い。
【００６０】
続くステップＳ２７０では、車室外送信機２ａ〜２ｅを利用した携帯機１との双方向通信が途絶えたか否かを判定する。双方向通信が途絶えていないと判定された場合には、ステップＳ２８０に進み、双方向通信が途絶えたと判定された場合には、ステップＳ２９０に進む。
【００６１】
ステップＳ２８０では、携帯機１の保持者がまだ車両ドア１１〜１５の近傍にいるので、その携帯機１の保持者が、自動開扉した車両ドアを閉じる操作を行い、その車両ドアが閉じられたか否かを判定する。車両ドアが閉じられていない場合には、ステップＳ２７０の処理に戻り、車両ドアが閉じられた場合には、ステップＳ３００の処理に進む。
【００６２】
一方、双方向通信が途絶えたと判定された場合に実施されるステップＳ２９０では、双方向通信が途絶えてから所定時間経過したか否かを判定し、まだ所定時間経過していない場合には、ステップＳ２７０の処理に戻り、所定時間経過した場合には、ステップＳ３００の処理に進む。
【００６３】
ステップＳ３００では、自動開扉した車両ドア以外の全ての車両ドアが閉じられているか否かを判定する。自動開扉した車両ドア以外の全ての車両ドアが閉じられている場合には、ステップＳ３１０に進んで、自動開扉した車両ドアがまだ閉じられていなければ、その車両ドアを自動閉扉するとともに、全ての車両ドア１１〜１５をロックする。その後、ステップＳ３２０において、自動開扉指示に関する記憶内容を消去する。なお、ステップＳ３００にて自動開扉した車両ドア以外の全ての車両ドアが閉じられていないと判定した場合には、そのままではドアロックを行なうことができないため、ステップＳ３３０において、ブザー等によって警告を発する。
【００６４】
このように、車両側ユニットは、携帯機１との双方向通信が途絶えたことに基づいて、自動開扉した車両ドアを、自動的に閉扉させるとともに、すべての車両ドア１１〜１５のロックを行なう。これにより、荷物を取出した携帯機１の保持者は、自ら車両ドアを閉扉させ、かつロック操作を行なわなくとも、携帯機１と車両側ユニットとの双方向通信エリアを越えて車両１０から遠ざかるだけで、車両ドアの自動閉扉動作及び全ての車両ドア１１〜１５のロックが行われるようになる。従って、携帯機１の保持者は、車両からの荷物の取出し及びその搬送も容易に行うことができるようになる。
【００６５】
また、本実施形態では、車両側ユニットと携帯機１との双方向通信が途絶えると、即座に車両ドアの自動閉扉及び全ての車両ドアのロックを実施するのではなく、双方向通信が途絶えてから所定時間経過後に、車両ドアの自動閉扉及び全車両ドアのロックを行なうようにしている。このため、例えば、一度では全ての荷物を取出すことができない場合などに、取出した荷物を持って一時的に車両から離れても、車両ドアは自動開扉した状態を維持するので、残りの荷物の取出しもスムーズに行なうことができる。なお、ステップＳ２９０における所定時間は、携帯機１の保持者が任意の時間に設定可能であっても良い。
【図面の簡単な説明】
【００６６】
【図１】実施形態における車両ドア制御システムの全体の構成を示す構成図である。
【図２】携帯機において実行される処理を示すフローチャートである。
【図３】携帯機１の保持者が車両に乗車する際に、車両側ユニットにおいて実行される処理を示すフローチャートである。
【図４】携帯機１の保持者が車両から降車する際に、車両側ユニットにおいて実行される処理を示すフローチャートである。
【符号の説明】
【００６７】
１  携帯機
１ａ  受信機
１ｂ  送信機
１ｃ  携帯機ＥＣＵ
２ａ〜２ｅ  車室外送信機
２ｆ  車室内送信機
３  受信機
４  電子キーＥＣＵ
７ｃ、７ｄ  スライドドア駆動部
８  後部ドア駆動部
１０  車両
１１〜１５  車両ドア
【図１】
0004561848.tif 000002
【図２】
0004561848.tif 000003
【図３】
0004561848.tif 000004
【図４】
0004561848.tif 000005